(57)【要約】【課題】ビルの屋上を緑化し、世界的な課題である地球温暖化を防止し、且つその断熱効果によってビルの冷暖房費を軽減する。簡単な方法で、屋上荷重を軽減した緑化方法を提供する。【解決手段】第１土壌が充填され、植物が植えられたコンテナを屋上に複数載置し、そのコンテナの周囲に第２土壌を充填し、該コンテナ内の植物を育成する屋上緑化方法であって、該コンテナは少なくとも１側面を易分解性膜状体又は多数の貫通孔を有する膜状体で構成したものであり、該第２土壌の真比重が該第１土壌の真比重より小さいもの。【選択図】  図３
2004173540.tif 000002
【特許請求の範囲】
【請求項１】
第１土壌が充填され、植物が植えられたコンテナを屋上に複数載置し、そのコンテナの周囲に第２土壌を充填し、該コンテナ内の植物を育成する屋上緑化方法であって、該コンテナは少なくとも１側面を易分解性膜状体又は多数の貫通孔を有する膜状体で構成したものであり、該第２土壌の真比重が該第１土壌の真比重より小さいことを特徴とする屋上の緑化方法。
【請求項２】
該第２土壌は、連続気泡を有し、且つその空隙率が２０％以上の天然多孔質材を主成分とするものである請求項１記載の屋上の緑化方法。
【請求項３】
該第１土壌の真比重が２〜３であり、第２土壌の真比重が１〜２である請求項１又は２記載の屋上の緑化方法。
【発明の詳細な説明】
【０００１】
【産業上の利用分野】
本発明は、屋上緑化方法に関するものである。
【０００２】
【従来の技術】
ここでいう屋上緑化方法とは、建造物の屋上等の表面に天然の植物による緑化を行なうものである。
例えば、ビル等の建造物の屋上は、従来からコンクリート面の上にシート防水、アスファルト防水、ウレタン防水等の処理をし、コンクリートの躯体に水分が入らないようにしている。これは、コンクリートの鉄筋の腐蝕防止のためと、階下の部屋の雨漏り防止のためである。
【０００３】
このようなビルの屋上において、最近は温暖化ガスである二酸化炭素軽減のため、植物を植えることが推奨されている。これは、植物の光合成による二酸化炭素の消費と、土壌に保持する水分による地面昇温防止のためである。
政府もこれを促進するため、種々の便宜を図っている。例えば、建蔽率の見なおし、補助金の供与、減税等である。
【０００４】
【発明が解決しようとする課題】
しかし、ビルの屋上に樹木を植える場合、当然土壌が必要になる。例えば、２ｍ程度の立ち木を植える  場合、少なくとも４０ｃｍ程度の厚みの土壌層は必要である。
４０ｃｍ程度の土壌層となると、相当の重量となる。これは、ビルの屋上にとって耐えうるか否かが問題となる荷重である。よって、ビルによっては基礎やスラブ又は構造体の問題から厚い土壌が敷設できず、２０ｃｍ程度の土壌に樹木を植えているところが多い。勿論、自立は難しいためワイヤ等で固定している。しかし、これでは当然樹木は正常な成長はできない。根も横に延びるだけで不自然な状態を強いられている。
【０００５】
【課題を解決するための手段】
以上のような状況に鑑み、本発明者は鋭意研究の結果本発明屋上の緑化方法を完成したものであり、その特徴とするところは、第１土壌が充填され、植物が植えられたコンテナを屋上に複数載置し、そのコンテナの周囲に第２土壌を充填し、該コンテナ内の植物を育成する屋上緑化方法であって、該コンテナは少なくとも１側面を易分解性膜状体又は多数の貫通孔を有する膜状体で構成したものであり、該第２土壌の真比重が該第１土壌の真比重より小さい点にある。
【０００６】
コンテナとは、植物の培地となる土壌等を収容する容器である。植物の根が外に伸びることができるように、少なくとも１側面は、易分解性膜状体又は多数の貫通孔を有する膜状体である。これらの膜状体は、コンテナと一体でも、別体でもよい。
易分解性膜状体とは、微生物や水等によって比較的容易に分解するフィルムやシートのようなもので、最初から多数の小さな貫通孔があってもよい。分解する速度は、２〜３年でほぼなくなる程度がよい。このような生分解性の膜状体や遅溶解性のものはすでに市販されており、それで十分である。簡単なものとしては、段ボールでもよい。
【０００７】
また、多数の貫通孔を有する膜状体でもよい。例えば、ステンレスや分解しにくいプラスチックの網やパンチングメタルのようなものである。貫通孔の目が粗ければ、易分解性膜状体をそこに貼って細かい土壌がもれないようにしてもよい。勿論、分解性のあるもので網等を構成したものでもよい。
貫通孔のサイズは、根が通過できる程度であればよい。植物によって異なり、また成長程度によっても異なるが、通常５〜２０ｍｍ程度でよい。
【０００８】
発明者の実験では、対向する２側面同士、易分解性膜状体と多数の貫通孔を有する分解性のない膜状体とを設けたものがよかった。また、底面は水はけの関係から貫通孔がある方がよいが、多数でなくとも、また易分解性膜状体であってもなくてもよい。
このコンテナのサイズは、平面視（３０〜１００ｃｍ）×（３０〜１００ｃｍ）程度がよく、深さは２０〜５０ｃｍ程度が好適である。
【０００９】
また、プラスチック製、金属製、木製、紙等の枠を有していてもよい。この枠と網や易分解性膜状体が一体でも別体でもよいのである。搬送しやすように、把手やフックを設けてもよい。
【００１０】
コンテナに入れる理由は、植物を個々に植えることができ、他所で根付かせたものだけを使用することを可能にするためである。また、根や幹の下部をコンテナと結束して樹木の下方を固定することができることも大きな効果である。更に、後述する天然多孔質材を使用した場合、それがつぶれないようにするという効果も有する。多孔質材は、連続気泡であり、空隙率が大きいため脆く潰れ易いためである。コンテナに入れるとこれをある程度防止できる。
コンテナの形状は、直方体がよく、きっちりと載置できるものが好適である。このようにすれば、コンテナを建造物に固定し強固なものとすることができる。樹木の根が容器の貫通孔に絡みつくと強固に固定されることとなり、樹木が倒れることがほとんどなくなる。
【００１１】
第１土壌とは、上記したコンテナに充填するもので、通常の土壌でも、人工的に配合した人工土壌でもよい。この土壌も軽量が好ましいが、樹木の支えを考慮すると軽ければいいというものではない。ある程度の樹木の支持能力が必要となる。限定はしないが、やはり通常の地面と同様、真比重は２〜３程度が好ましいのである。
真比重とは、土（天然でも人工でも）の固体部分だけの比重をいう。通常の土壌では、土壌粒子や有機物などからなるが、これらの物質の比重の平均値である。
この第１土壌には、植物を植えておくか種を撒いておくのが普通であるが、屋上に設置した後に、植えても、種を撒いても構わない。
第１土壌の充填深さは、特に限定はしないが、２０〜５０ｃｍが好適であり、なかでも４０ｃｍ前後がよかった。
【００１２】
第２土壌も第１土壌同様どのようなものでもよいが、第１土壌よりも真比重が小さいことが特徴である。これは、この第２土壌は、直接コンテナ内に充填するのではなく、その周囲に充填するものであり、樹木を植える場所ではなく将来の根の延びる場所として確保する部分である。よって、この第２土壌は前記した第１土壌のような重厚性は必要としない。このことを見出したことが本発明のスタートである。
【００１３】
実際の第２土壌の真比重としては、１〜２が好適である。これは、連続気泡を有し、且つその空隙率が２０％以上の天然多孔質が好適である。
連続気泡を有し、且つその空隙率が２０％以上の天然多孔質材とは、軽石のようなものである。連続気泡であることが特徴であり、水が浸透、保持できるものである。バーミキュライトやパーライトでもよい。周囲に鋭利な切断部がなく、全体として丸いものが根には好適である。サイズは、５〜５０ｍｍφ程度が好適である。
【００１４】
しかし、第１土壌として、このような空隙率が２０％程度の天然多孔質を使用すると、第２土壌としては、それより更に比重の小さい土壌となる。
例えば、同種のもので空隙率が４０〜６０％程度のもの。
また、多孔質セラミックやガラス発泡体でもよい。これらで真比重が１〜２のものが好適である。多孔質セラミックは、素焼きの陶器のようなもの、連続気泡を持つように高温で焼成されたもの等どのようなものでもよい。
これらは、連続気泡ではなく、独立気泡でもよい。このようにすれば、水の浸透空間が減り、十分水を保持したときの重量が軽減できる。即ち、給水、降雨等の土壌に保持される水が土壌の空隙を完全に埋める場合には、土壌全体としての比重は１に近くなるため（固形分の比重が１として）、土壌全体が相当の荷重となる。よって、排水をよくして水が貯まらないように（保水しないように）しなければならないという矛盾が生じる。
これを防止するため、本は発明では、第１土壌にも、第２土壌にも内部に水がはいらない気泡を有する粒状体を混合することもできる。これがここでいう独立気泡タイプである。ガラスのものが好適である。
更に、このような多孔質材だけでなく、その他のものを入れてもよい。
また、緩効性や遅効性の肥料を混合しておいてもよい。
第２土壌の充填深さも自由であるが、２０〜５０ｃｍがよい。
【００１５】
更に、水はけと保水の調整によいのが、ピートモスである。これは、湿原の泥炭層を形成するミズゴケなどのコケ類の堆積物を加工した園芸用土である。これも比重が小さい（０．５〜１．２程度）ため好適である。勿論、混合して使用するとより好適である。
【００１６】
このように、第１土壌と第２土壌、即ち、コンテナ内外で土壌に比重差を設けることによって、土壌全体の軽量化が達成できたのである。
【００１７】
本発明では、上記したコンテナを屋上に並べ、その周囲に第２土壌を充填するのであるが、第２土壌は屋上全面に充填する必要はない。また、コンテナの周囲４面すべてに充填する必要もない。所定のエリアのみ充填すればよい。その所定エリアは、コンクリートや軽量コンクリート、金属プレート、石、ブロック等で区切ればよい。
コンテナ同士連結したり、コンテナを建造物に固定してもよい。
【００１８】
本発明方法では、土壌自体、大きな断熱性を有しているため、屋上に施工するとそのビルの冷房経費等は大きく軽減できる。また、これをより確実にするため、発泡コンクリート（軽量コンクリート）によって、下地調整してもよい。厚み、１０ｃｍ程度塗布すれば、断熱効果は相当向上する。
【００１９】
【発明の実施の形態】
以下図面に示す実施の形態に基づいて、本発明をより詳細に説明する。
図１は、本発明方法に用いる人工土壌１の１例を示す斜視図である。プラスチック製のコンテナ２稜線部のみ存在し、側面は対向する２面がステンレスの網３で、他の対向する２面が易分解性膜状体４である。底面は、ステンレスの網３である。この例でのコンテナ２のサイズは、３０×９０×４０ｃｍである。
【００２０】
このコンテナ２の中に連続気泡を有し、その空隙率が６０％の軽石５で、ほぼ球形のものを多数充填するのである。サイズは、径が５〜１０ｍｍ程度のものである。また、この軽石５の空隙に土壌をある程度の密度で充填している。これは、砂や他の粒子でもよい。このコンテナ内に充填した混合物が本発明でいう第１土壌である。
【００２１】
図２は、図１に示す人工土壌１を、屋上に並べたときの部分平面図である。屋上に、１２０〜１５０ｃｍ間隔でコンクリート製（軽量コンクリート）の立ちあがり（この例では約３０ｃｍ）６を構築している。このコンクリート製の立ちあがり６にはボルトやフック等を埋め込み、コンテナや樹木の固定用にしてもよい。この中に、図１の人工土壌１を間隔を空けて並べている。この人工土壌（コンテナ）１の周囲空間７にも、軽石５やガラス製発泡体等を充填している。この周囲空間７に充填した混合物が本発明でいう第２土壌である。
【００２２】
図３は、図２の横断面図である。この例では、屋上の面にも軽量コンクリートで約１０ｃｍの下地８を構築している。各人工土壌１には、樹木９がすでに植わっている。根１０がコンテナ２から出て伸びており、且つ分解性のないステンレスの網３にも絡みつき固定されている。
【００２３】
図４は、図１のコンテナ２に天然多孔質材、その他の充填材を入れたものを更に用土保持板１１で長手方向を区切っている。これは、用土の保持、通路の確保を図るもので、軽量なＦＲＰが好適である。また、植物の根はコンクリートに間隙があると、そこに侵入し建物の防水層を破壊する恐れがあるため、ステンレス板（厚み、０．５〜１．０ｍｍ程度）１２を敷き詰め、この周囲にＬ型ステンレス鋼を溶接している。これに幹支持用のワイヤ１３を固定し転倒を防止する。
用土保持板１１は、このＬ型ステンレス鋼に固定するのが簡単である。はめ込み式にする方がよい。
【００２４】
更に、防水用のステンレス板とステンレス板とを連結して各植物列の移動を防止する。連結はステンレスの平板１４等で行なう。また、強風時に用土が飛ばないようにネット１４により覆うことが望ましい。
【００２５】
雨水、一次処理水等を貯留、濾過し、自動潅水指令装置（タイムスイッチ、土中水分計、雨水検知装置等）でポンプをＯＮ、ＯＦＦし配管により各植物に、ミスト、点滴装置等で適時潅水することも可能である。
また、液肥を液肥槽に貯留し、タイムスイッチによりポンプ及び液肥混合器を作動させ、潅水供給系統にて適時液肥を供給してもよい。
【００２６】
【発明の効果】
本発明緑化方法には次のような大きな利点がある。
（１）  コンテナの外側に軽量の土壌を用いているため、全体として軽量化が図れる。
（２）  コンテナに易分解性膜状体があるため樹木の根が伸びやすく、太くなっても問題はない。
（３）  コンテナ単位であるため、農園等で根付かせ、その中の優良なものだけを使用することもできるため効率がよい。
（４）  コンテナを用いているため、コンテナと樹木の根や下部の幹とを結束して固定することができる。上部のワイヤと両方固定すれば、非常に倒れにくいものとなる。
（５）  断熱効果が大きいため、建造物の冷房費等が軽減できる。その結果、都市空間のヒートアイランド現象を軽減する。
（６）  都市空間の二酸化炭素の減少、煤塵の吸収、植物からの酸素供給が可能。
（７）  屋上に憩いの場を設けることにより人に癒しを与える。
【図面の簡単な説明】
【図１】本発明方法に使用する人工土壌の１例を示す斜視図である。
【図２】図１に示す人工土壌１を屋上に並べたときの部分平面図である。
【図３】図３は、図２の横断面図である。
【図４】図１に示す人工土壌を屋上に並べたときの他の例を示す部分断面図である。
【符号の説明】
１  人工土壌
２  コンテナ
３  ステンレスの網
４  易分解性膜状体
５  軽石
６  立ちあがり
７  周囲空間
８  下地
９  樹木
１０  根
１１  用土保持板
１２  ステンレス板
１３  ワイヤ
１４  フラットバー
１５  ネット
【図１】
2004173540.tif 000003
【図２】
2004173540.tif 000004
【図３】
2004173540.tif 000005
【図４】
2004173540.tif 000006